(57)【要約】【課題】カメラ付き携帯電話において取得された画像データに対して、画像データを取得したユーザの好みを反映させた画像処理を施す。【解決手段】カメラ付き携帯電話１において撮像により取得した画像データＳ０を、ユーザ情報とともに画像サーバ２に送信する。画像サーバ２においては、ユーザ情報に基づいて、ユーザの画像処理についての好みを表す好み情報Ｆ０をデータベースＤＢ１から読み出す。一方、画像データＳ０に基づいて画像処理のための画像処理パラメータＰ０を算出し、好み情報Ｆ０に基づいて画像処理パラメータＰ０を補正して補正画像処理パラメータＰ１を得、これに基づいて画像データＳ０に画像処理を施して処理済み画像データＳ１を得る。【選択図】　　　　　図１
2004118560.tif 000002
【特許請求の範囲】
【請求項１】
画像データに対して画像処理を施して処理済み画像データを得る画像処理方法において、
前記画像処理を依頼したユーザを特定するユーザ情報を取得し、
前記画像データに基づいて、前記画像処理のための画像処理パラメータを算出し、
前記画像処理についてのユーザ毎の好みを表す好み情報を記憶したデータベースを参照して、前記取得したユーザ情報に対応する対応好み情報を読み出し、
前記対応好み情報に基づいて前記画像処理パラメータを補正して補正画像処理パラメータを取得し、
該補正画像処理パラメータに基づいて前記画像データに対して前記画像処理を施して前記処理済み画像データを取得することを特徴とする画像処理方法。
【請求項２】
画像処理の基準となる標準画像に対する前記ユーザの好みを反映させた補正標準画像を解析して、前記好み情報を取得することを特徴とする請求項１記載の画像処理方法。
【請求項３】
画像データに対して画像処理を施して処理済み画像データを得る画像処理装置において、
前記画像処理を依頼したユーザを特定するユーザ情報を取得するユーザ情報取得手段と、
前記画像データに基づいて、前記画像処理のための画像処理パラメータを算出するパラメータ算出手段と、
前記画像処理についてのユーザ毎の好みを表す好み情報を記憶したデータベースを参照して、前記取得したユーザ情報に対応する対応好み情報を読み出し、該対応好み情報に基づいて前記画像処理パラメータを補正して補正画像処理パラメータを取得するパラメータ補正手段と、
該補正画像処理パラメータに基づいて前記画像データに対して前記画像処理を施して前記処理済み画像データを取得する画像処理手段とを備えたことを特徴とする画像処理装置。
【請求項４】
前記好み情報取得手段は、画像処理の基準となる標準画像に対する前記ユーザの好みを反映させた補正標準画像を解析して、前記好み情報を取得する手段であることを特徴とする請求項３記載の画像処理装置。
【請求項５】
画像データに対して画像処理を施して処理済み画像データを得る画像処理方法をコンピュータに実行させるためのプログラムにおいて、
前記画像処理を依頼したユーザを特定するユーザ情報を取得する手順と、
前記画像データに基づいて、前記画像処理のための画像処理パラメータを算出する手順と、
前記画像処理についてのユーザ毎の好みを表す好み情報を記憶したデータベースを参照して、前記取得したユーザ情報に対応する対応好み情報を読み出す手順と、
前記対応好み情報に基づいて前記画像処理パラメータを補正して補正画像処理パラメータを取得する手順と、
該補正画像処理パラメータに基づいて前記画像データに対して前記画像処理を施して前記処理済み画像データを取得する手順とを有するプログラム。
【請求項６】
前記好み情報を取得する手順は、画像処理の基準となる標準画像に対する前記ユーザの好みを反映させた補正標準画像を解析して、前記好み情報を取得する手順である請求項５記載のプログラム。
【発明の詳細な説明】
【０００１】
【発明の属する技術分野】
本発明は、画像データに対して画像処理を施して処理済み画像データを得る画像処理方法および装置並びに画像処理方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データに対して画像処理を施し、さらに画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
【発明が解決しようとする課題】
上述したように画像データに対する画像処理は、画像データに基づいて画像処理のための画像処理パラメータを算出し、この画像処理パラメータに基づくことにより行われる。しかしながら、このように算出された画像処理パラメータは、予め定められた画質を有する画像となるように画像データに対して画像処理を施すものであるため、例えば、肌色を赤っぽくしたい、階調を硬くしたい、明るさを暗くしたいというような、画像データを取得したユーザの好みを画像処理に反映させることができない。
【０００７】
本発明は上記事情に鑑みなされたものであり、ユーザの好みを反映させた画像処理を画像データに対して施すことを目的とする。
【０００８】
【課題を解決するための手段】
本発明による画像処理方法は、画像データに対して画像処理を施して処理済み画像データを得る画像処理方法において、
前記画像処理を依頼したユーザを特定するユーザ情報を取得し、
前記画像データに基づいて、前記画像処理のための画像処理パラメータを算出し、
前記画像処理についてのユーザ毎の好みを表す好み情報を記憶したデータベースを参照して、前記取得したユーザ情報に対応する対応好み情報を取得し、
前記対応好み情報に基づいて前記画像処理パラメータを補正して補正画像処理パラメータを取得し、
該補正画像処理パラメータに基づいて前記画像データに対して前記画像処理を施して前記処理済み画像データを取得することを特徴とするものである。
【０００９】
なお、本発明による画像処理方法においては、画像処理の基準となる標準画像に対する前記ユーザの好みを反映させた補正標準画像を解析して、前記好み情報を取得するようにしてもよい。
【００１０】
本発明による画像処理装置は、画像データに対して画像処理を施して処理済み画像データを得る画像処理装置において、
前記画像処理を依頼したユーザを特定するユーザ情報を取得するユーザ情報取得手段と、
前記画像データに基づいて、前記画像処理のための画像処理パラメータを算出するパラメータ算出手段と、
前記画像処理についてのユーザ毎の好みを表す好み情報を記憶したデータベースを参照して、前記取得したユーザ情報に対応する対応好み情報を読み出し、該対応好み情報に基づいて前記画像処理パラメータを補正して補正画像処理パラメータを取得するパラメータ補正手段と、
該補正画像処理パラメータに基づいて前記画像データに対して前記画像処理を施して前記処理済み画像データを取得する画像処理手段とを備えたことを特徴とするものである。
【００１１】
なお、本発明による画像処理装置においては、前記好み情報取得手段を、画像処理の基準となる標準画像に対する前記ユーザの好みを反映させた補正標準画像を解析して、前記好み情報を取得する手段としてもよい。
【００１２】
なお、本発明による画像処理方法をコンピュータに実行させるためのプログラムとして提供してもよい。
【００１３】
【発明の効果】
本発明によれば、画像処理を依頼したユーザを特定するユーザ情報が取得され、画像処理についてのユーザ毎の好みを表す好み情報が記憶されたデータベースが参照されて、取得したユーザ情報に対応する好み情報が取得される。一方、画像データに基づいて画像処理のための画像処理パラメータが算出され、取得された好み情報に基づいて画像処理パラメータが補正されて補正画像処理パラメータが取得される。このため、補正画像処理パラメータに基づいて画像データに対して画像処理を施すことにより、画像処理を依頼したユーザの好みを反映させた画像を再生可能な処理済み画像データを得ることができる。
【００１４】
また、標準画像に対するユーザの好みを反映させた補正標準画像を解析することにより、ユーザの好み情報を簡易に取得することができる。
【００１５】
【発明の実施の形態】
以下図面を参照して本発明の実施形態について説明する。図１は本発明の実施形態による画像処理装置を備えた画像処理システムの構成を示す概略ブロック図である。図１に示すように本実施形態による画像処理システムは、カメラ付き携帯電話１と、カメラ付き携帯電話１において取得された画像データＳ０に対して画像処理を施す画像サーバ２との間でデータのやり取りを行うものである。
【００１６】
カメラ付き携帯電話１は、撮影により画像データＳ０を取得するカメラ１１と、携帯電話通信網を介した通信により画像データＳ０等の送受信を行う通信手段１２と、画像データＳ０等種々の情報を記憶するメモリ１３と、画像や電話番号等種々の表示を行う液晶モニタ１４と、カメラ付き携帯電話１を制御するコントローラ１５と、画像データＳ０に対して画像処理を施すための画像処理手段１６とを備える。
【００１７】
なお、カメラ１１による撮影の操作、画像データＳ０の送受信の指示、画像処理の指示等はカメラ付き携帯電話１に設けられた複数のボタンからなる入力手段１７により行われる。
【００１８】
また、画像処理手段１６は、入力手段１７からのユーザの指示により、画像データＳ０および後述する標準画像データＮ０に対して画像処理を施すことができるものである。
【００１９】
これにより、カメラ付き携帯電話１のユーザは、カメラ１１を用いて撮影を行って画像データＳ０を取得し、取得された画像データＳ０を液晶モニタ１４に表示して待ち受け画面に設定したり、画像データＳ０を画像サーバ２に送信して画像処理を行ったり、取得された画像データＳ０を画像サーバ２経由で友人のカメラ付き携帯電話１へ送信したりすることができる。
【００２０】
画像サーバ２は、画像データＳ０等、種々の情報の送受信を携帯電話通信網を介して行う通信手段２１と、画像データＳ０に対して画像処理を施して処理済み画像データＳ１を得る画像処理手段２２と、後述するように画像データＳ０の画像処理を依頼したユーザの画像処理についての好みを解析して好み情報Ｆ０を得る好み解析手段２３と、後述するように算出された画像処理パラメータＰ０を補正して補正画像処理パラメータＰ１を得るパラメータ補正手段２４と、複数のユーザについての好み情報Ｆ０を記憶したデータベースＤＢ１を保管した保管手段２５と、画像サーバ２の制御を行うコントローラ２６とを備える。
【００２１】
画像処理手段２２は、画像データＳ０に基づいて、濃度補正処理、ホワイトバランス調整処理、階調変換処理、色補正処理、シャープネス処理等、画像データＳ０に対して施す画像処理のための画像処理パラメータＰ０を算出するパラメータ算出手段２２Ａおよび画像データＳ０に対して画像処理を施して処理済み画像データＳ１を得るセットアップ手段２２Ｂを備える。なお、画像処理手段２２においては、カメラ付き携帯電話１の画像処理手段１６よりも高度な処理を行って処理済み画像データＳ１により表される画像をより高画質にできるものである。
【００２２】
好み解析手段２３は、画像処理の基準となる標準画像をカメラ付き携帯電話１のユーザに補正させることにより得られた補正標準画像に基づいてユーザの好みを解析して好み情報Ｆ０を得る。ここで、標準画像は予め定められたチャートや基準となる肌色等が含まれており、画像サーバ２は、この標準画像を表す標準画像データＮ０をカメラ付き携帯電話１に送信する。
【００２３】
一方、カメラ付き携帯電話１において受信された標準画像データＮ０は液晶モニタ１４に表示され、画像処理手段１６においてユーザによる入力手段１７からの指示により、ユーザの好みを反映させた画像処理が標準画像データＮ０に対して施されて補正標準画像データＮ１が得られる。補正標準画像データＮ１は画像サーバ２に送信される。この補正標準画像データＮ１は、例えば、肌色を赤めにする、階調を硬くする、濃度を低めにする等、画像処理についてのユーザの好みを反映させたものとなっている。
【００２４】
好み解析手段２３は、補正標準画像データＮ１に基づいてユーザの好みを解析し、好み情報Ｆ０を取得する。この好み情報Ｆ０は、例えば、肌色を赤めにする、階調を硬くする、濃度を低めにする等、画像処理パラメータＰ０に対してユーザの好みを反映させるためのパラメータからなる。
【００２５】
好み情報Ｆ０はユーザ毎にデータベースＤＢ１に記憶されて保管手段２５に保管される。なお、ユーザ毎の好み情報Ｆ０の読み出しは、画像データＳ０に対する画像処理の依頼時にユーザから送信されるユーザ情報に基づいて行われる。具体的には、カメラ付き携帯電話１の電話番号、予めユーザが登録したユーザ番号、ユーザの名前等がユーザ情報として用いられる。なお、本実施形態においては、カメラ付き携帯電話１の電話番号をユーザ情報として用いるものとする。
【００２６】
なお、補正標準画像データＮ１に基づく好み情報Ｆ０の取得は、カメラ付き携帯電話１のユーザが初めて画像サーバ２に画像データＳ０の画像処理を依頼した際に行われる。また、初回に限らずユーザの要求に応じて適宜好み情報Ｆ０を更新できるようにしてもよい。
【００２７】
次いで、本実施形態の動作について説明する。図２は本実施形態において行われる処理を示すフローチャートである。まず、カメラ付き携帯電話１において、カメラ１１を用いて撮影が行われ、画像データＳ０が取得される（ステップＳ１）。取得された画像データＳ０は通信手段１２により画像サーバ２に送信される（ステップＳ２）。この際、カメラ付き携帯電話１の電話番号もユーザ情報として同時に画像サーバ２に送信される。
【００２８】
送信された画像データＳ０は画像サーバ２の通信手段２１により受信される（ステップＳ３）。そして、画像データＳ０とともに送信された電話番号に基づいて、画像データＳ０を送信したユーザの画像処理の依頼が今回が初めてか否かが判定される（ステップＳ４）。ステップＳ４が肯定されると、ユーザの好みの解析のために、標準画像データＮ０が通信手段２１によりカメラ付き携帯電話１に送信される（ステップＳ５）。ステップＳ４が否定された場合は、そのユーザの好みを表す好み情報Ｆ０が既にデータベースＤＢ１に記憶されているものとして、ステップＳ１３へ進む。
【００２９】
送信された標準画像データＮ０はカメラ付き携帯電話１の通信手段１２により受信される（ステップＳ６）。標準画像データＮ０に対しては、ユーザによりユーザの好みを反映させた画像処理が施され（ステップＳ７）、補正標準画像データＮ１が得られる。この画像処理は、標準画像データＮ０を液晶モニタ１４に表示し、入力手段１７からユーザが画像処理の指示を行うことにより標準画像データＮ０に対して施される。補正標準画像データＮ１は、通信手段１２により画像サーバ２に送信される（ステップＳ８）。
【００３０】
送信された補正標準画像データＮ１は画像サーバ２の通信手段２１により受信される（ステップＳ９）。そして、好み解析手段２３において、補正標準画像データＮ１に基づいてユーザの好みが解析され（ステップＳ１０）、好み情報Ｆ０が取得される（ステップＳ１１）。好み情報Ｆ０は保管手段２５に保管されたデータベースＤＢ１に記憶される（ステップＳ１２）。
【００３１】
ステップＳ１３においては、パラメータ算出手段２２Ａにより、受信した画像データＳ０に基づいて画像処理パラメータＰ０が算出される（ステップＳ１３）。次いで、画像データＳ０とともに送信された電話番号に基づいて、データベースＤＢ１から画像処理を依頼したユーザの好み情報Ｆ０が読み出される（ステップＳ１４）。そして、読み出された好み情報Ｆ０により画像処理パラメータＰ０が補正されて、補正画像処理パラメータＰ１が得られる（ステップＳ１５）。
【００３２】
次いで、セットアップ手段２２Ｂにおいて、補正画像処理パラメータＰ１に基づいて画像データＳ０に対して画像処理が施されて処理済み画像データＳ１が得られる（ステップＳ１６）。処理済み画像データＳ１は通信手段２１によりカメラ付き携帯電話１に送信される（ステップＳ１７）。
【００３３】
送信された処理済み画像データＳ１はカメラ付き携帯電話１の通信手段１２により受信され（ステップＳ１８）、メモリ１３に記憶され（ステップＳ１９）、さらに液晶モニタ１４に表示され（ステップＳ２０）、処理を終了する。
【００３４】
このように、本実施形態によれば、画像サーバ２に画像処理を依頼したユーザを特定するユーザ情報を取得し、画像処理についてのユーザ毎の好みを表す好み情報Ｆ０が記憶されたデータベースＤＢ１を参照して、取得したユーザ情報に対応する好み情報Ｆ０を得、これに基づいて画像データＳ０に画像処理を施すための画像処理パラメータＰ０を補正して補正画像処理パラメータＰ１を得、補正画像処理パラメータＰ１に基づいて画像データＳ０に対して画像処理を施すようにしたため、処理済み画像データＳ１により表される画像を、画像処理を依頼したユーザの好みを反映させたものとすることができる。
【００３５】
また、標準画像データＮ０をカメラ付き携帯電話１に送信し、標準画像データＮ０に対してユーザの好みを反映させた画像処理を行って補正標準画像データＮ１を取得し、補正標準画像データＮ１に基づいてユーザの好みを表す好み情報Ｆ０情報を得るようにしたため、ユーザ毎の好み情報Ｆ０を簡易に取得することができる。
【００３６】
なお、上記実施形態においては、ユーザに標準画像データＮ０を補正させることにより得た補正標準画像データＮ１に基づいて、ユーザの好みを解析して好み情報Ｆ０を得ているが、ユーザに画像の好みを問い合わせ、その回答に基づいて好み情報Ｆ０を作成してデータベースＤＢ１に記憶してもよい。例えば、ユーザに明るい画像、暗い画像のいずれが好みか、硬調の画像および軟調の画像のどちらが好みか等をアンケート形式により問い合わせて回答を得、この回答に基づいて画像サーバ２のオペレータがユーザの好みを表す好み情報Ｆ０を作成してもよい。この場合、明るい画像、暗い画像、あるいは硬調の画像および軟調の画像等を実際にユーザに提示し、いずれの画像が好みかをユーザに指示してもらうことにより、ユーザの好みについての回答を得るようにしてもよい。
【００３７】
また、上記実施形態においては、カメラ付き携帯電話１において画像を表示しているが、ＰＤＡ等の種々の携帯端末装置において画像を表示する際に本発明を適用することができる。
【図面の簡単な説明】
【図１】本発明の実施形態による画像処理システムの構成を示す概略ブロック図
【図２】本実施形態において行われる処理を示すフローチャート
【符号の説明】
１　　カメラ付き携帯電話
２　　画像サーバ
１１　　カメラ
１２，２１　　通信手段
１３　　メモリ
１４　　液晶モニタ
１５，２６　　コントローラ
１６，２２　　画像処理手段
１７　　入力手段
２２Ａ　　パラメータ算出手段
２２Ｂ　　セットアップ手段
２３　　好み解析手段
２４　　パラメータ補正手段
２５　　保管手段
【図１】
2004118560.tif 000003
【図２】
2004118560.tif 000004